(57)【要約】  【課題】運転者がサトウキビの根元の切断状況を目視確認しながら刈り倒し作業を行なえる装置を実現する。  【解決手段】トラクターＰＴＯ軸の回転力の伝動ユニットをトラクターで牽引し、前記伝動ユニットの一端から、運転席のサイド方向に延長させたカッター支持アーム１７の先端に、サトウキビの根切りカッターＣをスプロケット軸で駆動可能に装備してあるため、トラクターを走行させながら運転席Ｓから根切り状況を常時目視確認できる。その結果、根切り位置が高過ぎるといった問題が解決される。また、トラクターのＰＴＯ軸で根切りカッターＣをチェーン駆動するので、小型トラクターにおける油圧カッターのようにパワー不足を来す恐れはない。倒伏状態のサトウキビは、根元側のガイドバー４と上側のガイドバー５によって起こされながら、根切りされる。【選択図】図３
0003150494.tif 000002
【実用新案登録請求の範囲】
【請求項１】
林立しているサトウキビを刈り倒す装置において、
トラクターＰＴＯ軸の回転力の伝動ユニットをトラクターで牽引し、前記伝動ユニットの一端から、運転席サイド方向に延長させたカッター支持アームの先端に、サトウキビの根切りカッターをスプロケット軸で駆動可能に装備する構造であって、
カッター支持アームの両端に設けたスプロケットに、ＰＴＯ軸の回転力で駆動されるチェーンを掛けてあることを特徴とする目視型のサトウキビ刈り倒し装置。  
【請求項２】
切断された状態のサトウキビの根元をトラクターとは反対方向に押す凸湾曲壁を、根切りカッターのカッターブレードを取付けた回転盤の上面に取付け固定してあり、
しかも各カッターブレードの根元上において、カッター刃の背部方向に湾曲し、この凸湾曲壁よりもカッターブレード先端が外方に突出していることを特徴とする請求項１に記載の目視型のサトウキビ刈り倒し装置。
【請求項３】
トラクターの進路側に倒伏しているサトウキビを徐々に起こしてから根切りできるようにするガイド手段が、トラクター本体に対し、前記の根切りカッター側に装備してあり、
サトウキビの根元側のガイド手段は前後方向に長い１以上のガイドバーから成り、その前方部分はトラクター中心線とほぼ平行状態であり、
その後方部分は、トラクターから次第に遠ざかる方向に曲がっていることを特徴とする請求項１または請求項２に記載の目視型のサトウキビ刈り倒し装置。
【請求項４】
前記の根元ガイド手段より高い位置に設けた上部ガイド手段は、１以上のガイドバーから成り、
その前端は、前記の根元ガイド手段よりもトラクター寄りに配設してあり、
かつ全長に渡って前下がりに傾斜させて、前端から後端に向けて次第に高くしてあること、
ガイドバー後端寄りがトラクターから次第に遠ざかるように、トラクター中心線に対し後拡がりに角度を持たせてあることを特徴とする請求項１、請求項２または請求項３に記載の目視型のサトウキビ刈り倒し装置。
【請求項５】
前記の根元側のガイド手段と上部ガイド手段は、２本以上のバー体を上下方向に間隔をおいて配設して成ることを特徴とする請求項１から請求項４までのいずれかに記載の目視型のサトウキビ刈り倒し装置。
【請求項６】
トラクター前部に支持部材を介して取付けた潜入器の先端が、トラクターの進路上に倒伏しているサトウキビの下に潜り込めるように、先端から後方に向かって次第に高くなるように傾斜していることを特徴とする請求項１から請求項５までのいずれかに記載の目視型のサトウキビ刈り倒し装置。
【請求項７】
倒伏しているサトウキビを起こして前記の上部ガイド手段の上に導くために、スクリュー状のディバイダーを、前記上部ガイド手段側に前下がりに斜めに取付けてあることを特徴とする請求項１から請求項６までのいずれかに記載のサトウキビ刈り倒し装置。
【考案の詳細な説明】
【技術分野】
【０００１】
本考案は、サトウキビを収穫する際に、サトウキビの刈り倒しのみを行なう装置、特に常に運転者がサトウキビの根元の切断状況を目視確認しながら刈り倒し作業を行なえる装置に関する。
【背景技術】
【０００２】
サトウキビを収穫する際に、サトウキビを前方に押し倒してその上を前進する際に、自走装置の運転台の下側付近に設けたカッターでサトウキビの根をカットするタイプとして、特許文献１や特許文献２のような装置が提案されているが、根のカット状況が全く見えないので、完全に機械任せの状態で根をカットしているのが実情である。しかも、サトウキビの生えている畝の上を走行するので、収穫装置が走行できるようにサトウキビを整頓する必要があり、収穫装置が大がかりでコスト高となり、農家の経営を圧迫する一因となる。
また、自走装置の後方にカッターを設けて、後方で根切りする装置として、特許文献３や特許文献４のような構造が提案されているが、この場合も根切り状況が運転席から見えないので、機械任せで根切りしており、しかもサトウキビの生えている畝の上を走行するので、収穫装置が走行できるようにサトウキビを整頓する必要がある点は、前記の場合と同様である。
これに対し、特許文献５のように、オートバイのサイドカーのように、トラクターのサイドに刈り倒し機を取付けて一緒に走行させるタイプも提案されているが、この場合もキビ刈り機の下部に設けた根切りカッターが見えないので、根切り状況を目視確認しながら走行することができない。
【先行技術文献】
【特許文献】
【０００３】
【特許文献１】実開平７−２２６２１
【特許文献２】特開２００４−３３７０３６
【特許文献３】実開平７−４３５５９
【特許文献４】特開２０００−１０２３１４
【特許文献５】特開平１０−２０１３３６
【考案の概要】
【考案が解決しようとする課題】
【０００４】
以上のように、従来のサトウキビ収穫装置はすべて、サトウキビの根切り状況が目視確認できないため、根切り高さは機械任せとなり、根切り位置が高過ぎる場合は無駄が増えて農家の手取り減収の一因となり、しかも翌年株出しする場合は、株高さを揃える再作業が必要となるなど、問題が多い。
また、機械化の進んだ大型装置ほど、構造が複雑でコスト高なため、農家には機械化のための負担増大となり、大型になるほど周囲の見通しが悪く、一緒に作業している家族の死亡事故を来すなどの危険も発生している。
大型装置は雨天時には圃場に入れず、効率的でないとか、二酸化炭素の発生量が多く、地球環境の上でも問題であり、燃料高騰のため農家の経営を圧迫するなど、問題が多い。経済産業省では、消費者がＣＯ2 排出量の少ない商品を選べるようにし、事業者にＣＯ2 排出を減らす努力を促す目的で、二酸化炭素（ＣＯ2 ）排出量を商品に表示する「カーボンフットプリント」の導入に向けた準備が進んでいるという。従って、今後は、サトウキビの収穫においても、機械化は最低限に抑制することが必要である。
本考案の技術的課題は、このような問題に着目し、運転時に根切り状況を目視可能なサトウキビ刈り倒し装置を実現することによって、サトウキビ収穫において最も重労働で負担の大きい刈り倒し作業だけを機械化することで、機械化の進んでいる大型装置に伴う諸問題を一掃し、作業の安全化やＣＯ2 低減、燃料高騰対策や雨天対策などを一挙に解消することにある。
【課題を解決するための手段】
【０００５】
本考案の技術的課題は次のような手段によって解決される。請求項１は、林立しているサトウキビを刈り倒す装置において、
トラクターＰＴＯ軸の回転力の伝動ユニットをトラクターで牽引し、前記伝動ユニットの一端から、運転席のサイド方向に延長させたカッター支持アームの先端に、サトウキビの根切りカッターをスプロケット軸で駆動可能に装備する構造であって、
カッター支持アームの両端に設けたスプロケットに、ＰＴＯ軸の回転力で駆動されるチェーンを掛けてあることを特徴とする目視型のサトウキビ刈り倒し装置である。
このように、トラクターＰＴＯ軸の回転力の伝動ユニットをトラクターで牽引し、前記伝動ユニットの一端から、運転席のサイド方向に延長させたカッター支持アームの先端に、サトウキビの根切りカッターをスプロケット軸で駆動可能に装備してあるため、トラクターを走行させながら運転席から根切り状況を常時目視確認できる。その結果、最も注意を要する根切り高さ等を常に監視して、常時最適な根切り高さを維持できるので、根切り位置が高過ぎるといった問題が解決される。なお、支持アーム先端のカッターによる根切り位置は、運転席の真横である必要はなく、真横から約４５度後方までは振り向くようにすれば容易に目視できるが、２０〜３０度後方までが見やすい。
また、カッター支持アームの両端に設けたスプロケットに、ＰＴＯ軸の回転力で駆動されるチェーンを掛けてあって、トラクターのＰＴＯ軸で根切りカッターを駆動するので、小型トラクターにおける油圧カッターのようにパワー不足を来す恐れはない。
【０００６】
請求項２は、切断された状態のサトウキビの根元をトラクターとは反対方向に押す凸湾曲壁を、根切りカッターのカッターブレードを取付けた回転盤の上面に取付け固定してあり、
しかも各カッターブレードの根元上において、カッター刃の背部方向に湾曲し、この凸湾曲壁よりもカッターブレード先端が外方に突出していることを特徴とする請求項１に記載の目視型のサトウキビ刈り倒し装置である。
このように、切断された状態のサトウキビの根元をトラクターとは反対方向に押す凸湾曲壁を、根切りカッターのカッターブレードを取付けた回転盤の上面に取付け固定してあり、しかも各カッターブレードの根元上において、カッター刃の背部方向に湾曲し、この凸湾曲壁よりもカッターブレード先端が外方に突出しているので、後続のサトウキビの根切りの邪魔にならないように、根切り直後のサトウキビの根をトラクターとは反対側に押し寄せることができる。
【０００７】
請求項３は、トラクターの進路側に倒伏しているサトウキビを徐々に起こしてから根切りできるようにするガイド手段が、トラクター本体に対し、前記の根切りカッター側に装備してあり、
サトウキビの根元側のガイド手段は前後方向に長い１以上のガイドバーから成り、その前方部分はトラクター中心線とほぼ平行状態であり、
その後方部分は、トラクターから次第に遠ざかる方向に曲がっていることを特徴とする請求項１または請求項２に記載の目視型のサトウキビ刈り倒し装置である。
トラクターの進路側に倒伏しているサトウキビを徐々に起こしてから根切りできるようにするガイド手段が不可欠であり、トラクター本体に対し、前記の根切りカッター側に装備してある。
そして、サトウキビの根元側のガイド手段は、前後方向に長い１以上のガイドバーから成り、その前方部分はトラクター中心線とほぼ平行状態であり、これに対し、その後方部分は、トラクターから次第に遠ざかる方向に曲がっている。
そのため、ガイド手段の前方部分例えば運転席のサイド付近までは、サトウキビの下側すなわち根元側に対しては何ら作用せず、請求項４のようにして上側を起こしてから、ガイド手段の例えば運転席付近から後方部分で、サトウキビの下側も起こしながら、次第にカッターの方に押し寄せて、根切りに供する。
【０００８】
請求項４のように、前記の根元側のガイド手段より高い位置において、１以上のガイドバーから成る上部ガイド手段を設けてある。そして、その前端は、前記の根元側ガイド手段よりもトラクター寄りに配設すると共に、全長に渡って前下がりに傾斜させて、前端から後端に向けて次第に高くしてある。しかも、ガイドバー後端寄りがトラクターから次第に遠ざかるように、トラクター中心線に対し後拡がりに角度を持たせてあるため、トラクターの進路側に倒伏しているサトウキビの上側が、トラクターの前進と共に上部ガイド手段で次第に押し起こされて、根元に根切りカッターが到来して根切りされる頃には、上部ガイド手段の後方によってサトウキビ上部がトラクターと反対側に押し倒されるので、トラクターの前進の邪魔になることはない。
【０００９】
請求項５は、前記の根元側のガイド手段と上部ガイド手段は、２本以上のバー体を上下方向に間隔をおいて配設して成ることを特徴とする請求項１から請求項４までのいずれかに記載の目視型のサトウキビ刈り倒し装置である。このように、根元側ガイド手段と上部ガイド手段を有するため、倒伏状態のサトウキビの上下の複数箇所で押し起こすことかでき、サトウキビの一か所に押し起こし力が集中して、サトウキビが折れたりするのを防止できる。しかも、サトウキビの上部又は根元側の倒伏している部分を押し起こすことができる。また、根元側のガイド手段も上部側のガイド手段も、２本以上のバー体を上下方向に間隔をおいて配設してあるので、ガイド手段が堅牢となり、サトウキビから受ける負荷で曲がったりするのを防げる。
【００１０】
トラクターの進路に、地面すれすれまで倒伏しているサトウキビも有りうるので、その対策として、請求項６のように、前記の根元側ガイドバーよりも低い位置において、地面に寝ている状態のサトウキビの下に潜り込めるように、先端から後方に向かって次第に高くなるように傾斜している潜入器を、支持部材を介してトラクター前部に取付けてある。
そのため、地面すれすれまで倒伏しているサトウキビの下側に潜入器が潜り込み、トラクターの前進に伴って、傾斜部によってサトウキビを徐々に押し上げて起こし、後続の根元側ガイドバーや上部ガイドバーの上に引き渡すことができる。
【００１１】
請求項７のように、倒伏しているサトウキビを起こして前記の上部ガイド手段の上に導くために、スクリュー状のディバイダーを、前記上部ガイド手段側に前下がりに斜めに取付けてあるので、トラクターの進路側に倒伏しているサトウキビをオネジ状のディバイダーの回転によって徐々に起こして、後続の上部ガイド手段の上に引き渡すことができる。
【００１２】
以上のように、最も重要な根切り部付近の状況を運転者がトラクター上から常時目視確認しながら根切り可能とすることによって、ＣＯ2 を排出する機械化作業を必要最小限まで抑制して地球環境の改善に寄与できる。また、根切りされたサトウキビの整頓などの後始末は人手に頼ることになるが、過酷で単純作業の根切りと違って全身運動となるので、肥満化傾向の高い沖縄では、健康増進の上でも望ましいことである。
大規模な圃場の場合はともかく、小規模圃場の多い沖縄本島の場合は、大型のハーベスターに代わって、本発明のような根切り専用の小型トラクターが有効であり、畝幅も小型トラクター用に短縮して生産量の増大を図ることができる。
【考案の効果】
【００１３】
請求項１のように、トラクターで牽引する伝動ユニットの一端から、運転席のサイド方向に延長させたカッター支持アームの先端に、サトウキビの根切りカッターをスプロケット軸で駆動可能に装備してあるため、トラクターを走行させながら運転席から根切り状況を常時目視確認できる。その結果、最も注意を要する根切り高さ等を常に監視して、常時最適な根切り高さを維持できるので、根切り位置が高過ぎるといった問題が解決される。
また、トラクターＰＴＯ軸で根切りカッターを駆動するので、小型トラクターにおける油圧カッターのようにパワー不足を来す恐れはない。
【００１４】
請求項２のように、切断された状態のサトウキビの根元をトラクターとは反対方向に押す凸湾曲壁を、回転盤の上面に取付け固定してあり、しかも各カッターブレードの根元上において、カッター刃の背部方向に湾曲し、この凸湾曲壁よりもカッターブレード先端が外方に突出しているので、後続のサトウキビの根切りの邪魔にならないように、根切り直後のサトウキビの根をトラクターとは反対側に押し寄せることができる。
【００１５】
請求項３のように、サトウキビの根元側のガイド手段の前方部分はトラクター中心線とほぼ平行状態であり、後方部分は、トラクターから次第に遠ざかる方向に曲がっている。
そのため、ガイド手段の前方部分例えば運転席のサイド付近までは、サトウキビの下側すなわち根元側に対しては何ら作用せず、請求項４のようにして上側を起こしてから、ガイド手段の例えば運転席付近から後方部分で、サトウキビの下側も起こしながら、次第にカッターの方に押し寄せて、根切りに供する。
【００１６】
請求項４のように、前記根元側のガイド手段より高い位置に設けた上部ガイド手段は、全長に渡って前下がりに傾斜し、しかも、ガイドバー後端寄りがトラクターから次第に遠ざかるように、トラクター中心線に対し後拡がりに角度を持たせてあるため、トラクターの進路側に倒伏しているサトウキビの上側が、トラクターの前進と共に上部ガイド手段で次第に押し起こされて、根元に根切りカッターが到来して根切りされる頃には、上部ガイド手段の後方によってサトウキビ上部がトラクターと反対側に押し倒されるので、トラクターの前進の邪魔になることはない。
【００１７】
請求項５のように、サトウキビの根元側のガイド手段と上側のガイド手段を有するため、倒伏状態のサトウキビの上下の複数箇所で押し起こすことかでき、サトウキビの一か所に押し起こし力が集中して、サトウキビが折れたりするのを防止できる。しかも、サトウキビの上部又は根元側の倒伏している部分を押し起こすことができる。また、根元側のガイド手段も上部側のガイド手段も、２本以上のバー体を上下方向に間隔をおいて配設してあるので、ガイド手段が堅牢となり、サトウキビから受ける負荷で曲がったりするのを防げる。
【００１８】
請求項６のように、根元側ガイドバーよりも低い位置において、地面に寝ている状態のサトウキビの下に潜り込めるように、先端から後方に向かって次第に高くなるように傾斜している潜入器を、支持部材を介してトラクター前部に取付けてあるので、地面すれすれまで倒伏しているサトウキビの下側に潜入器が潜り込み、トラクターの前進に伴って、傾斜部でサトウキビを徐々に押し上げて起こし、後続の根元側ガイドバーや上部ガイドバーの上に引き渡すことができる。
【００１９】
請求項７のように、スクリュー状のディバイダーを、前記上部ガイド手段側に前下がりに斜めに取付けてあるので、トラクターの進路側に倒伏しているサトウキビをオネジ状のディバイダーの回転によって徐々に起こして、後続の上部ガイド手段の上に引き渡すことができる。
【図面の簡単な説明】
【００２０】
【図１】本考案による根切り装置を装備したトラクターを正面から見た斜視図である。
【図２】図１のトラクターを左前方から見た斜視図である。
【図３】図１のトラクターを右前方から見た斜視図である。
【図４】根元側ガイドと上部ガイドを装備したトラクターの運転席付近を見た斜視図である。
【図５】運転席付近における上部ガイドと根元側ガイドの取付け構造を示す斜視図である。
【図６】潜入器の別の実施形態を示す側面図である。
【図７】根切りカッターと伝動ユニットを示す斜視図である。
【図８】潜入器とスクリュー状デバイダーを併用した構造の側面図である。
【考案を実施するための形態】
【００２１】
次に本考案による目視型のサトウキビ刈り倒し機が実際上どのように具体化されるか実施形態を「構造」「動作」の順に説明する。図１は、本考案による根切り装置を装備したトラクターを正面から見た斜視図、図２は左前方から見た斜視図、図３は右前方から見た斜視図である。
トラクター車台１前端の支持金具２に固定した左右方向に長い水平鉄骨３を利用して、サトウキビの根元側ガイド４の先端と上部ガイド５の先端を取付け固定してある。すなわち、上下２本のバーから成る上部ガイド５は、水平鉄骨３に直立させたポール６に取付けてあり、上下２本のバーから成る根元側ガイド４は、水平鉄骨３の先端に固定した連結金具７の上端・下端に取付けてある。
実施例装置の各部寸法は、サトウキビ上側のガイド５のトラクター中心からの距離は、前端は５０ｃｍ、後端は１４０ｃｍである。サトウキビ根元側のガイド４の先端は、トラクター中心から８０ｃｍの位置にある。
地面からの高さは、根元側ガイド４は、下部バーが３０ｃｍ、上部バーが４５ｃｍであるから、上下のバー間隔は１５ｃｍである。上部ガイド５は、下部バー先端は５５ｃｍ、後端は１５０ｃｍ、上部バー先端は７０ｃｍ、後端は１６５ｃｍである。従って、上下のバー間隔は１５ｃｍである。このような根元側ガイド４と上部ガイド５の後部下方に根切りカッターＣが有る。
このように、トラクターの右側に根元側ガイド４と上部ガイド５を設けてあるので、運転席Ｓへの乗り降りはトラクターの左側から行なう。
【００２２】
図４は、根元側ガイド４と上部ガイド５を装備したトラクターの運転席付近を見た斜視図で、上部ガイド５の後端において、上下バー同士が連結金具５１で互いに連結されている。また、運転席の右外側において、上部ガイド５の上下バー同士を連結金具５２で互いに連結すると共に、固定支柱８を利用してトラクター車台側に取付け固定してある。
すなわち、図５のように、運転席Ｓ下部の車台に取付けた水平鉄骨９を車台の左右方向に延長して、固定支柱８を立て、その上端から逆Ｌ字状に延ばした取付けバー８１に、上部ガイド５を取付け支持してある。
前記の水平鉄骨９を外側に延長して、その先端に根元側ガイド４の上下バーを取付け固定してある。なお、根元側ガイド４は、先端から水平鉄骨９との連結部あたりまでの１３０ｃｍは、トラクター中心とほぼ平行状態であるのに対し、水平鉄骨９との連結部あたりから後端までの６５ｃｍは、根切りカッターＣ側に曲がり、トラクターから次第に遠ざかっている。
【００２３】
これに対し、上部ガイド５は、全長２７０ｃｍにわたって直線状のままである。ただし、根元側ガイド４が、全長にわたって一定の高さであるのに対し、上部ガイド５は、前下がりに傾斜している。従って、図１〜４のように、後方が次第に高くなっている。
また、上部ガイド５の後方が外側に開くように、トラクター中心線に対し、  １５〜３０度の角度を成しているので、後方はトラクターから次第に遠ざかることになり、根切りしたサトウキビをトラクターと反対側に押し倒すことができる。
【００２４】
一方、トラクター前部に取付けた図１の潜入器は、前下がりの傾斜バー１０から成り、前記の水平鉄骨３に取付け支持してある。また、連結バーＢを介して一体構成の起立レバー１１に連結されたワイヤーやバー１２を運転席Ｓから引っ張ると、傾斜バー１０が地面から浮き上がる構造になっている。
図６は、潜入手段の別の実施形態を示す側面図で、傾斜バー１０の傾斜上端に連結したＬ型レバー１１を運転席からワイヤーやバー１２で引っ張ると、傾斜バー１０前端のスライド板１３が上昇して、地面から浮き上がる。
なお、傾斜バー１０の下側には補強バー１４を設けて、帯板１５で互いに連結固定されている。
【００２５】
図３、図４に示すように、トラクター後方の伝動ユニット１６の右端下部からトラクターの運転席Ｓのサイドに延長したカッター支持アーム１７の先端に、サトウキビの根切りカッターＣを装備してあり、カッター支持アーム１７の両端に設けたスプロケットに、ＰＴＯ軸の回転力で駆動されるチェーンを掛けてある。なお、チェーンは、カバーで覆われている。
図７に示すように、カッターＣは、スプロケット軸に固定された回転盤１８に複数枚のカッターブレード１９を放射状に固定して成り、ブレード１９先端の回転方向の前端１９ｃがカッター刃になっている。
【００２６】
回転盤１８に固定した凸湾曲壁２０を形成するために、金属製の帯板を凸円弧状に形成して、その下端縁を回転盤１８上面に溶接固定してある。この凸湾曲壁２０は、カッターブレード１９の根元上において、カッター刃１９ｃの背部方向に逃げるように湾曲しているため、凸湾曲壁２０より突出したカッターブレード１９先端のカッター刃１９ｃが矢印方向に右回転して切断した後のサトウキビの根元を、凸湾曲壁２０によって、トラクターとは反対方向に押す退けることができる。
その結果、根切りしたサトウキビの根を凸湾曲壁２０で押し退け、同時に上部を上部ガイド５で押し退けながら前進して、立っている状態のサトウキビの根を順次カットする。
回転盤１８の回転軸は半円筒状のカバー２１で覆われているので、回転盤回転軸やスプロケット軸に枯れ葉やつる草などが絡みついたりする恐れはない。
【００２７】
トラクター後部の３点リンクＬ１、Ｌ２、Ｌ３で装着されている伝動ユニット１６中央の駆動スプロケット軸２２がＰＴＯ軸２３で回転駆動され、次いで内部チェーンを介して伝動ユニット１６右端のスプロケット軸を駆動し、次に別のカッター駆動チェーンで回転盤１８を回転させてカッター刃１９ｃで根切りする。
このように、トラクターのＰＴＯ軸でカッターＣを駆動するので、円滑かつ確実に根切りできる。２５〜３０馬力以下の小型トラクターにおいて、コンプレッサーで油圧を発生させて油圧モータでカッター駆動して根切りすると、パワー不足を来す恐れがある。
【００２８】
次に、以上のような構造の根切り装置の動作を説明する。本考案の根切り装置の使用に先立って、最初の１列だけ、手刈りでサトウキビを刈り取って、トラクターが走行可能にする必要がある。
トラクターに装備されている３点リンクＬ１、Ｌ２、Ｌ３で伝動ユニット１６をトラクター後部に装着しておけば、支持アーム１７先端のカッターＣも一緒に持ち上げて自由に走行することができる。
また、サトウキビの根切り高さを調節し設定するために、操作クランク２５を回転させて車輪２４の高さを調節し設定すれば、支持アーム１７先端のカッターＣの高さを調節し、根切り高さを設定することができる。
【００２９】
次いで、トラクターのＰＴＯ軸でカッターＣを回転させながら、先に手刈りした畝上をトラクターが前進すると、畝間の上に倒伏しているサトウキビの下に図１、図６の潜入器のスライド板１３が潜り込んで、傾斜バー１０で押し上げ、次いで根元側ガイド４上に乗り移る。同じサトウキビの梢頭部寄りは上部ガイド５の上に支持されながら、トラクターが前進するため、後上がりの上部ガイド５によって徐々に起こされる。根元側は、根元側ガイド４後方の外向き屈曲部によって、カッターＣ側に押し寄せられて、カッター刃１９ｃで根切りされる。
【００３０】
根切りされたサトウキビの根は、凸湾曲壁２０の回転によって外側（トラクターから遠ざかる方向）に、次いで後方に押されるため、カッターＣやカッター支持アーム１７などの前進の妨げになることはない。
また、根切りされたサトウキビの上部（梢頭部側）は、前記のように、上部ガイド５によって、トラクターから遠ざかる方向に押されるため、トラクターは、根切りしたサトウキビに前進が妨げられることはない。
【００３１】
サトウキビ１列の根切り作業が終わったら、一旦バックして次の列の根切りを行なう。あるいは、圃場の反対側の１列も予め手刈りしておけば、反対側まで前進し移行して、逆方向に走行し根切りすることもできる。この場合は圃場を右回転し循環走行することになる。
このように、次の畝の根切りのためにバックしたり、反対側まで移動する際は、３点リンクＬ１、Ｌ２、Ｌ３で支持された伝動ユニット１６を油圧で持ち上げると、カッターＣも持ち上げ状態となる。また、運転席Ｓからワイヤーやバー１２を引いて、潜入器のスライド板１３を上昇させ、走行の邪魔にならないように、また引っ掛けたりしないようにする。
【００３２】
以上のように、サトウキビの根切り動作時には、伝動ユニット１６を下降させて牽引し、左右の車輪２４で走行させながら、カッターＣで根切りする。
従って、クランク状のハンドル２５を操作して、車輪２４の高さを調節することによってカッターＣの高さを設定し、根切り高さを調節することができる。
その結果、畝に生えているサトウキビの根切り状況を運転席Ｓから常に目視し確認しながら、トラクターを前進させれば、根切り位置が高過ぎて無駄が増えたり、株高さを揃えるための再作業を行なう必要も解消される。
【００３３】
図１や図６の潜入器に代えて、又は潜入器と併用して図８のようなスクリュー状デバイダーを採用することもできる。図８において、上部ガイド手段５の前端の取付けるポール６に、取付け金具２６を介して、デバイダー２７を取付けてある。
このデバイダー２７自体は公知であり、テーパ状の筒体の外周にオネジのネジ山に相当するオネジ状羽根を形成してあるため、上端の油圧モータＭで右回転させると、倒伏状態のサトウキビがオネジ状の羽根の回転によって次第に押し上げられる。
そして、トラクターの前進によって、上部ガイドバー５の上に移され、前下がりに傾斜している上部ガイドバー５の前進によって、サトウキビの上側がさらに押し起こされ、最終的に上部ガイドバー５後端によって、トラクターと反対側に押し倒される。
あるいは、一部のサトウキビは、上部ガイドバー５後端が通過後に、トラクターおよび伝動ユニット１６の通過後の畝間に倒れるが、トラクターの通過後であるから前進の妨げとはならない。ただし、次の畝の根切り時の走行の邪魔にならないように、根切りしたサトウキビを排除しておくことは言うまでもない。
【産業上の利用可能性】
【００３４】
以上のように、本考案によると、運転しなから運転席から根切り状況を目視し確認できるため、最適な根切り高さに設定でき、またサトウキビ収穫において最も重労働で負担の大きい刈り倒し作業だけを機械化することで、畝幅を狭くできる小型トラクターで足り、機械化の進んでいる大型装置に伴う諸問題を一掃し、作業の安全化やＣＯ2 削減、燃料高騰対策や雨天対策などを一挙に解消することが可能どなる。
また、ＰＴＯ軸でカッター駆動するので、２５〜３０馬力以下の小型トラクターでありながら、コンプレッサーで油圧を発生させて油圧モータでカッター駆動する場合のようなパワー不足を来す恐れもない。
【符号の説明】
【００３５】
Ｔ  トラクターエンジン部
Ｗ  後輪
ω  前輪
１  トラクター車台
３  水平鉄骨
４  サトウキビの根元側ガイド
５  サトウキビの上部ガイド
６  上部ガイドの前端支柱
８  上部ガイドの運転席側支柱
９  水平鉄骨
１０  傾斜バー
１３  スライド板
１６  伝動ユニット
１７  カッター支持アーム
Ｃ  カッター
１８  回転盤
１９  カッターブレード
１９ｃ  カッター刃
２０  凸湾曲壁
２７  スクリュー状デバイダー
【図１】
0003150494.tif 000003
【図２】
0003150494.tif 000004
【図３】
0003150494.tif 000005
【図４】
0003150494.tif 000006
【図５】
0003150494.tif 000007
【図６】
0003150494.tif 000008
【図７】
0003150494.tif 000009
【図８】
0003150494.tif 000010